(57)【要約】【課題】コンタクトの接触部が破損する虞がないコネクタを提供する。【解決手段】インバータ基板２１の挿入部２１ａが収容される収容部３１５を有するハウジング３にコンタクト５が保持されている。コンタクト５はインバータ基板２１の板厚方向に沿って収容部３１５内の挿入部２１ａに接触可能な接触部５２１を有する。スライドすることによって接触部５２１をインバータ基板２１の挿入部２１ａに対して接触及び離隔させるスライダ７をハウジング３にスライド可能に設けた。【選択図】図９
2010003441.tif 000002
【特許請求の範囲】
【請求項１】
基板の一部が挿入される収容部を有するハウジングと、
前記収容部内の前記基板の一部に接触可能な接触部を有し、前記ハウジングに保持されたコンタクトと、
前記ハウジングにスライド可能に設けられ、スライドすることによって前記接触部を前記基板の一部に対して前記基板の板厚方向で接触及び離隔させるスライダと
を備えることを特徴とするコネクタ。
【請求項２】
前記スライダは前記接触部を前記板厚方向へ移動させるカム面を有し、
前記コンタクトは前記カム面に係合する係合部を有している
ことを特徴とする請求項１記載のコネクタ。
【請求項３】
前記ハウジングは前記スライダをそのスライド方向へ案内するガイド部を有することを特徴とする請求項１又は２項記載のコネクタ。
【請求項４】
前記コンタクトは前記スライダをそのスライド方向へ案内するガイド部を有することを特徴とする請求項１〜３のいずれか１項記載のコネクタ。
【請求項５】
前記収容部は前記板厚方向で前記基板の一部を受け容れる開口を有し、
前記スライダはスライドすることによって前記開口を開閉する蓋部を有する
ことを特徴とする請求項１〜４のいずれか１項記載のコネクタ。
【請求項６】
基板の板厚方向でこの基板の一部が挿入される収容部を有するハウジングと、
前記収容部に挿入された前記基板の一部に接触可能な接触部と、前記収容部に挿入された前記基板の一部を挟持して前記接触部に押し付ける挟持部とを有し、前記ハウジングに保持されたコンタクトと、
前記収容部は前記板厚方向で前記基板の一部を受け容れる開口を有し、
前記開口を開放する開放位置と前記開口を閉塞する閉塞位置との間で前記ハウジングにスライド可能に設けられ、前記閉塞位置にあるときに前記挟持部による前記基板の一部の挟持状態を維持するスライダと
を備えることを特徴とするコネクタ。
【発明の詳細な説明】
【技術分野】
【０００１】
この発明はコネクタに関し、例えば液晶ディスプレイに用いられるコネクタに関する。
【背景技術】
【０００２】
従来、ランプとインバータ基板とを電気的に接続するためのランプ保持構造が知られている（下記特許文献１参照）。ランプ保持構造はコンタクトとランプ保持部材とカバー部材とを備えている。
【０００３】
コンタクトは圧接部と接触ばね部と保持部と連結部とを有する。圧接部はカバー部材に保持されたランプのランプ端子に圧接する。接触ばね部はランプ保持部材の上端面に配置された保持板にその板厚方向で対向する。また、接触ばね部は上下方向へ移動可能である。接触ばね部の先端部は上方へ反り返っている。保持部はランプ保持部材に圧入される。これにより、コンタクトはランプ保持部材に保持される。連結部は圧接部と接触ばね部とを連結する。
【０００４】
ランプ保持部材はカバー部材とコンタクトの連結部とを収容する第１収容部を有する。
【０００５】
カバー部材はランプの一端部を収容するランプ収容部とランプのランプ端子が挿入される端子挿入部とを有する。
【０００６】
ランプ保持構造でランプを保持するには、まず、コンタクトの保持部をランプ保持部材に圧入してコンタクトをランプ保持部材に保持させる。コンタクトがランプ保持部材に保持されるとき、コンタクトの連結部はランプ保持部材の第１収容部に収容される。
【０００７】
次に、カバー部材の端子挿入部にランプのランプ端子を挿入するとともに、カバー部材のランプ収容部にランプの一端部を収容する。
【０００８】
最後に、ランプ保持部材の第１収容部にカバー部材を収容する。第１収容部にカバー部材が収容されるとき、コンタクトの圧接部がランプのランプ端子に圧接する。
【０００９】
ランプ保持構造によってランプとインバータ基板とを電気的に接続するには、ランプ保持部材の上端面に配置された保持板とコンタクトの接触ばね部との間にインバータ基板の一端部をランプ保持部材の上端面に沿って挿入すればよい。上述のように、コンタクトの接触ばね部の先端部が上方へ反り返っているので、インバータ基板の一端部がランプ保持部材の上端面に沿って保持板と接触ばね部との間に挿入されたとき、接触ばね部がインバータ基板の上面にスムースに乗り上げる。
【特許文献１】特開２００４−３３５２２７号公報
【発明の開示】
【発明が解決しようとする課題】
【００１０】
上述のランプ保持構造では、インバータ基板の一端部をランプ保持部材の上端面に沿って保持板と接触ばね部との間に挿入するとき、接触ばね部が正常にインバータ基板に乗り上がらず、接触ばね部がインバータ基板に押圧されて、接触ばね部が折れ曲がる虞がある。
【００１１】
この発明はこのような事情に鑑みてなされたもので、その課題は、コンタクトの接触部が破損する虞がないコネクタを提供することである。
【課題を解決するための手段】
【００１２】
前述の課題を解決するため請求項１の発明のコネクタは、基板の一部が挿入される収容部を有するハウジングと、前記収容部内の前記基板の一部に接触可能な接触部を有し、前記ハウジングに保持されたコンタクトと、前記ハウジングにスライド可能に設けられ、スライドすることによって前記接触部を前記基板の一部に対して前記基板の板厚方向で接触及び離隔させるスライダとを備えることを特徴とする。
【００１３】
上述のように、スライダをスライドさせることによって接触部が基板の一部に対して基板の板厚方向で接触及び離隔するので、基板の一部を収容部に収容するとき、接触部は基板の一部と接触しない。
【００１４】
また、接触部は基板の板厚方向で基板の一部に接触可能であるので、接触部は基板の実装面と平行な方向へ押圧される危険性がない。
【００１５】
請求項２の発明は、請求項１記載のコネクタにおいて、前記スライダは前記接触部を前記板厚方向へ移動させるカム面を有し、前記コンタクトは前記カム面に係合する係合部を有していることを特徴とする。
【００１６】
請求項３の発明は、請求項１又は２項記載のコネクタにおいて、前記ハウジングは前記スライダをそのスライド方向へ案内するガイド部を有することを特徴とする。
【００１７】
請求項４の発明は、請求項１〜３のいずれか１項記載のコネクタにおいて、前記コンタクトは前記スライダをそのスライド方向へ案内するガイド部を有することを特徴とする。
【００１８】
請求項５の発明は、請求項１〜４のいずれか１項記載のコネクタにおいて、前記収容部は前記板厚方向で前記基板の一部を受け容れる開口を有し、前記スライダはスライドすることによって前記開口を開閉する蓋部を有することを特徴とする。
【００１９】
請求項６の発明のコネクタは、基板の板厚方向でこの基板の一部が挿入される収容部を有するハウジングと、前記収容部に挿入された前記基板の一部に接触可能な接触部と、前記収容部に挿入された前記基板の一部を挟持して前記接触部に押し付ける挟持部とを有し、前記ハウジングに保持されたコンタクトと、前記収容部は前記板厚方向で前記基板の一部を受け容れる開口を有し、前記開口を開放する開放位置と前記開口を閉塞する閉塞位置との間で前記ハウジングにスライド可能に設けられ、前記閉塞位置にあるときに前記挟持部による前記基板の一部の挟持状態を維持するスライダとを備えることを特徴とする。
【発明の効果】
【００２０】
この発明によれば、コンタクトの接触部が破損する虞がないコネクタを提供することができる。
【発明を実施するための最良の形態】
【００２１】
以下、この発明の実施の形態を図面に基づいて説明する。
【００２２】
図１はこの発明の第１実施形態のコネクタの使用状態の斜視図である。
【００２３】
図１に示すように、このコネクタ１は液晶ディスプレイのシャーシ２３に装着され、インバータ基板２１とバックライトの冷陰極管２２とを電気的に接続するものである。コネクタ１はハウジング３とコンタクト５とスライダ７とを備える。
【００２４】
図２は図１に示すコネクタのハウジングの斜視図、図３は図１に示すコネクタのハウジングの縦断面図である。
【００２５】
図２、図３に示すように、ハウジング３はハウジング本体３１とフランジ部３２とを有し、絶縁性を有する樹脂で形成されている。ハウジング本体３１は角筒状であり、正面板３１１と背面板３１２と２つの側面板３１３とを有する。ハウジング本体３１の横断面形状はほぼ矩形である。
【００２６】
正面板３１１の上端部には開口３１１ａが形成され、正面板３１１の下端部には開口３１１ｂが形成されている。
【００２７】
背面板３１２の上端面は正面板３１１の上端面よりも下方に位置している。背面板３１２の内面の両側部にそれぞれ突出片３１４が設けられている。突出片３１４はハウジング３の高さ方向Ｈ３へ延びている。突出片３１４の先端部が側面板３１３に結合されることにより、突出片３１４の先端部には保持溝３１４ａが形成されている。保持溝３１４ａはハウジング３の高さ方向Ｈ３へ延びている。
【００２８】
２つの側面板３１３は同じ形状である。側面板３１３の外面のほぼ中央部には楔状の突起３１３ａが形成されている。側面板３１３の内面の上部には凸部（ガイド部）３１３ｂが形成されている。また、側面板３１３の内面の上部には２つの凹部３１３ｃ，３１３ｄが形成されている。
【００２９】
正面板３１１と背面板３１２と２つの側面板３１３とで囲まれた空間（ハウジング本体３１の内部空間）が、インバータ基板２１の一部が収容される収容空間（収容部）３１５である。
【００３０】
フランジ部３２はハウジング本体３１の外面に形成されている。ハウジング３の高さ方向Ｈ３でフランジ部３２は突起３１３ａの少し下に位置する。
【００３１】
フランジ部３２の上面には誤挿入防止凸部３３が形成されている。
【００３２】
図４は図１に示すコネクタのコンタクトを斜め前方から見た状態を示す斜視図、図５は図１に示すコネクタのコンタクトを斜め後方から見た状態を示す斜視図である。
【００３３】
図４、図５に示すように、コンタクト５は胴部５１と基板接続部５２と冷陰極管接続部５３と２つの脚部５４とを有する。コンタクト５は１枚の金属板に打抜き加工及び曲げ加工を施すことによって形成されている。
【００３４】
胴部５１は正面板５１１と２つの側面板５１２とで構成されている。２つの側面板５１２は正面板５１１の両側部にそれぞれ連結されている。側面板５１２の高さ寸法は正面板５１１の高さ寸法よりも大きく、側面板５１２の上端は正面板５１１の上端よりも上方に位置する。側面板５１２の上端部はほぼ直角に内方へ折り曲げられてレール（ガイド部）５１２ａが形成されている。レール５１２ａの後端部には凸部５１２ｂが形成されている。
【００３５】
基板接続部５２は接触部５２１とばね部５２２と支持部５２３とを有する。接触部５２１はほぼＬ字形に折り曲げられている。接触部５２１は２つの係合部５２１ａを有する。係合部５２１ａはほぼＪ字形に形成され、接触部５２１の先端部（一端部）に位置する。ばね部５２２の一端部はほぼＵ字形に折り曲げられており、接触部５２１の他端部に連結されている。ばね部５２２はコンタクト５の高さ方向Ｈ５へ弾性変形可能である。支持部５２３は平板状であり、支持部５２３の一端部はばね部５２２の他端部に連結され、支持部５２３の他端部は正面板５１１の上端部に連結されている。支持部５２３はばね部５２２を支持する。
【００３６】
冷陰極管接続部５３は２つの接触部５３１と管保持部５３２とを有する。２つの接触部５３１はそれぞれほぼＪ字形に折り曲られている。各接触部５３１はコンタクト５の幅方向Ｗ５へ弾性変形可能である。各接触部５３１の上端部は側面板５１２の下端部に連結されている。各接触部５３１の下端部同士は互いに接触する。管保持部５３２の下側部分はほぼベース形状に形成されている。管保持部５３２の下側部分には切欠き５３２ａが形成され、冷陰極管２２が挿入し易いように面取り５３２ｂが施されている。管保持部５３２の上側部分はほぼ帯状で、クランク状に折り曲げられ、正面板５１１の下端部に連結されている。
【００３７】
２つの脚部５４はほぼＬ字形であり、正面板５１１の両側部の下部に連結されている。
【００３８】
図６は図１に示すコネクタのスライダを斜め下方から見た状態を示す斜視図、図７は図１に示すコネクタのスライダを斜め側方から見た状態を示す斜視図、図８はスライダとハウジングとコンタクトとが組み付けられた状態を示す部分断面図である。
【００３９】
図６、図７、図８に示すように、スライダ７は２つの側壁部７１と蓋部７２と後壁部７３とを有し、合成樹脂で一体成形されている。各側壁部７１の外面には、第１溝７１ａと第２溝７１ｂとが形成されている。第１溝７１ａと第２溝７１ｂとは互いに平行である。第２溝７１ｂの中央部には凹部７１ｃが形成されている。第１溝７１ａにはハウジング３の側壁板３１３の凸部３１３ｂが相対的にスライド可能に挿入され、第２溝７１ｂにはコンタクト５のレール５１２ａが相対的にスライド可能に挿入される。これにより、スライダ７はハウジング３の前後方向Ｂ３（図２参照）へスライド可能にハウジング３に取り付けられる。
【００４０】
また、各側壁部７１の外面には楔状の凸部７１ｄが形成されている。スライダ７が前後方向Ｂ３へスライドするとき、凸部７１ｄは側面板３１３の凹部３１３ｃ，３１３ｄ（図２参照）に軽く嵌合する。
【００４１】
更に、各側壁部７１の下部にはカム面７１ｅが形成されている。カム面７１ｅはコンタクト５（図４参照）の接触部５２１の係合部５２１ａと係合し、ハウジング３の収容空間３１５に挿入されたインバータ基板２１の挿入部２１ａの板厚方向へ接触部５２１を移動させる。
【００４２】
蓋部７２は２つの側壁部７１の上部に連結されている。
【００４３】
後壁部７３は側壁部７１の後部に連結されている。
【００４４】
次に、コネクタ１の組立について説明する。まず、ハウジング３（図２、図３参照）の下の開口３１１ｂからコンタクト５（図４、図５参照）を挿入する。このとき、コンタクト５の側面板５１２の後部５１２ｃをハウジング３の保持溝３１４ａ（図３参照）に挿入する。側面板５１２の後部５１２ｃがハウジング３の保持溝３１４ａに挿入されることによってコンタクト５はハウジング３内に保持される。
【００４５】
次に、ハウジング３の後方からスライダ７をハウジング３及びコンタクト５に組み付ける。このとき、図２、図７、図５に示すように、ハウジング３の凸部３１３ｂがスライダ７の第１溝７１ａに、コンタクト５のレール５１２ａがスライダ７の第２溝７１ｂにそれぞれ挿入されるようにする。
【００４６】
最後に、スライダ７を前方へ（ハウジング３の正面板３１１の方へ)スライドさせ、図６に示すスライダ７の凸部７１ｄを図２に示すハウジング３の凹部３１３ｃか凹部３１３ｄに嵌合させる。凸部７１ｄを凹部３１３ｃに嵌合させると、スライダ７は開放位置で止まる。この開放位置ではインバータ基板２１の挿入部２１ａをハウジング３の前後方向Ｂ３（図２参照）及びハウジング３の高さ方向Ｈ３（図３参照）で挿入・抜去可能である。凸部７１ｄを凹部３１３ｄに嵌合させると、スライダ７は接続位置で止まる。スライダ７が接続位置で止まると、ハウジング３の収容空間３１５の開口３１５ａ（図２参照）がスライダ７の蓋部７２で完全に塞がれる。
【００４７】
以上の作業により、コネクタ１の組立が完了する。コネクタ１が完成した後に、誤操作等によってスライダ７が所定距離後方へスライドしたとき、コンタクト５の凸部５１２ｂがスライダ７の凹部７１ｃ（図７参照）に嵌合することによってスライダ７が係止され、スライダ７のハウジング３からの脱落が防止される。
【００４８】
完成したコネクタ１は図１に示すように、液晶ディスプレイのバックライトのシャーシ２３に取り付けられる。コネクタ１をシャーシ２３に取り付けるには、シャーシ２３の下方からシャーシ２３の孔２３ａにコネクタ１を挿入し、コネクタ１のハウジング３のフランジ部３２（図２参照）をシャーシ２３に突き当てればよい。フランジ部３２がシャーシ２３に突き当たるまで挿入すると、コネクタ１のハウジング３の突起３１３ａはシャーシ２３の孔２３ａと軽圧入になっており、孔２３ａを通過して、突起３１３ａの下面がシャーシ２３の上面に接触する。この結果、フランジ部３２と突起３１３ａとでシャーシ２３が挟まれるので、コネクタ１はシャーシ２３に保持される。
【００４９】
コネクタ１をシャーシ２３の孔２３ａに挿入するとき、コネクタ１の向きを間違えると、コネクタ１のハウジング３の誤挿入防止凸部３３がシャーシ２３の孔２３ａの周縁部に形成された凹部２３ｂ（図１参照）に挿入されないので、コネクタ１の向きを間違えたことに気付く。
【００５０】
図９は図１に示すコネクタのスライダを閉塞位置から開放位置にスライドさせてインバータ基板の挿入部をコネクタのハウジングの収容空間に挿入した状態を示す部分断面図、図１０は図１に示すコネクタのスライダを開放位置から閉塞位置にスライドさせてインバータ基板の挿入部にコンタクトの接触部を接触させた状態を示す部分断面図である。
【００５１】
インバータ基板２１をコネクタ１のハウジング３の収容空間３１５に挿入する前に、予め冷陰極管２２の一端部をコネクタ１のコンタクト５の管保持部５３２に保持させておく（図１参照）とともに、冷陰極管２２のピン状の端子部（図示せず）を２つの接触部５３で挟んでおく。
【００５２】
インバータ基板２１をコネクタ１に接続するには、まず、スライダ７の凸部７１ｄ（図６参照）をハウジング３の凹部３１３ｃに嵌合させてスライダ７を開放位置に置いておく。スライダ７が開放位置にあるとき、スライダ７のカム面７１ｅはコンタクト５の接触部５２１の係合部５２１ａを下方へ押圧しているので、コンタクト５のばね部５２２が弾性変形して、接触部５２１が下がった位置（開口３１１ａより下方の位置）にある。
【００５３】
次に、図９に示すように、インバータ基板２１の挿入部２１ａをハウジング３の前後方向Ｂ３又はハウジング３の高さ方向Ｈ３に沿ってハウジング３の収容空間３１５に挿入する。このとき、コンタクト５の接触部５２１はインバータ基板２１の挿入部２１ａに接触しない。
【００５４】
最後に、スライダ７をハウジング３の前後方向Ｂ３に沿って前方へ（正面板３１１の方へ）スライドさせる。その結果、スライダ７の凸部７１ｄ（図６参照）がハウジング３の凹部３１３ｄに嵌合し、図１０に示すように、スライダ７が閉塞位置で止まる。スライダ７が開放位置から閉塞位置までスライドするとき、コンタクト５の接触部５２１がスライダ７のカム面７１ｅに沿って上昇するので、ばね部５２２の変形量が徐々に減少し、接触部５２１はばね部５２２のばね力によってインバータ基板２１の板厚方向へ徐々に上昇し、最終的に挿入部２１ａに接触する。コンタクト５の接触部５２１が挿入部２１ａに接触すると、コンタクト５を通じてインバータ基板２１と冷陰極管２２とが電気的に接続される。
【００５５】
スライダ７が閉塞位置までスライドすると、ハウジング３の収容空間３１５の開口３１５ａがスライダ７の蓋部７２によって塞がれ、インバータ基板２１の挿入部２１ａをハウジング３の高さ方向Ｈ３へ抜去できなくなる。
【００５６】
上述のように、第１の実施形態によれば、コンタクト５の接触部５２１はインバータ基板２１の板厚方向に移動してインバータ基板２１に接触するので、コンタクト５とインバータ基板２１との接続作業時に塵埃がほとんど発生しない。
【００５７】
また、スライダ７が閉塞位置までスライドすると、ハウジング３の収容空間３１５の開口３１５ａがスライダ７の蓋部７２によって塞がれるので、外部から塵埃が収容空間３１５に侵入するのを防止することができる。
【００５８】
更に、ハウジング３の外面に突起３１３ａを設けたので、コネクタ１を直接シャーシ２３に取り付けることができ、コネクタ１のシャーシ２３への取付作業を簡単に行うことができる。
【００５９】
図１１はこの発明の第２実施形態のコネクタのハウジングの一部の斜視図、図１２は同コネクタのコンタクトの一部の斜視図、図１３は同コネクタのスライダの斜視図である。
【００６０】
第１実施形態と共通する部分については同一符号を付してその説明を省略する。以下、第１実施形態との主な相違部分についてだけ説明する。
【００６１】
図１１に示すように、ハウジング２０３のハウジング本体２３１は正面板２３１１と背面板２３１２と２つの側面板２３１３とで構成されている。側面板２３１３の上部には窓孔２３１３ｅが形成されている。また、側面板２３１３の上端部には凹部２３１３ｆが形成されている。ハウジング２０３の図示されていない部分の構造は第１実施形態のハウジング３と同様である。
【００６２】
図１２に示すように、コンタクト２０５は胴部２５１と基板接続部２５２と挟持部２５５とを有している。
【００６３】
胴部２５１は正面板２５１１と２つの側面板２５１２とで構成されている。
【００６４】
基板接続部２５２は接触部２５２１とばね部２５２２とで構成されている。ばね部２５２２の一端部は接触部２５２１に連結され、ばね部２５２２の他端部は正面板２５１１に連結されている。ばね部２５２２は収容空間３１５（図１６参照）に収容されたインバータ基板２１（図１６参照）の板厚方向Ｈ２１へ弾性変形可能である。
【００６５】
挟持部２５５は凸部２５５１とばね部２５５２とで構成されている。凸部２５５１は収容空間３１５に収容されたインバータ基板２１の挿入部２１ａの幅方向Ｗ２１ａ（図１６参照）でインバータ基板２１の挿入部２１ａを挟持する。ばね部２５５２の一端部は凸部２５５１に連結され、ばね部２５５２の他端部は側面板２５１２に連結されている。ばね部２５５２は収容空間３１５に収容されたインバータ基板２１の挿入部２１ａの幅方向Ｗ２１ａへ弾性変形可能である。コンタクト２０５の図示されていない部分の構造は第１実施形態のコンタクト５と同様である。
【００６６】
スライダ２０７は２つの側壁部２７１と開閉蓋部２７２と後壁部２７３とで構成されている。スライダ２０７は可撓性を有する合成樹脂で一体成形されている。各側壁部２７１の上部の外面には第１突出片２７１ｆが形成され、各側壁部２７１の上部の内面には第２突出片２７１ｇが形成されている。また、側壁部２７１の外面には第１凸部２７１ｈと第２凸部２７１ｉとが形成されている。開閉蓋部２７２は２つの突出片２７２ａで構成されている。各突出片２７２ａは側壁部２７１の内面に設けられている。両突出片２７２ａは互いに接近する方向へ突出し、開口３１５ａ（図１４参照）を閉塞する。各突出片２７２ａは固定端を中心にしてほぼ９０度回転できるように弾性変形可能である。２つの突出片２７２ａが弾性変形したとき開口３１５ａ（図１４参照）が開く。後壁部２７３は側壁部２７１の後部に連結されている。
【００６７】
図１４はこの発明の第２実施形態のコネクタにインバータ基板を接続する前の状態を示す斜視図、図１５は図１４に示すコネクタにインバータ基板を接続した状態を示す斜視図、図１６は図１４に示すコネクタにインバータ基板を接続した状態を示す縦断面図、図１７は図１４に示すコネクタにインバータ基板を接続した状態を示す斜め上方から見た斜視図である。
【００６８】
コネクタ２０１にインバータ基板２１を接続するには、まず、スライダ２０７を図１４に示すように、開放位置にセットする。このとき、スライダ２０７の第１凸部２７１ｈがハウジング２０３の凹部２３１３ｆの底面に突き当たり、スライダ２０７が開放位置に維持される。また、スライダ２０７を上方へ引っ張っても、第２凸部２７１ｉが窓孔２３１３ｅ内周面に突き当たるので、スライダ２０７がハウジング２０３から脱落しない。
【００６９】
次に、インバータ基板２１の挿入部２１ａをハウジング２０３の高さ方向Ｈ２０３に沿って収容空間３１５（図１６参照）に挿入する。このとき、挿入部２１ａは開閉蓋部２７２を押し開いて、開閉蓋部２７２を通過する。２つの凸部２５５１同士の間隔はインバータ基板２１の挿入部２１ａの幅よりも狭く設定されているが、ばね部２５５２が挿入部２１ａの幅方向Ｗ２１ａへ弾性可能であるので、インバータ基板２１の挿入部２１ａは２つの凸部２５５１を押し退けて凸部２５５１の間を通過することができる。インバータ基板２１の挿入部２１ａをハウジング３の前後方向Ｂ２０３に沿って収容空間３１５に挿入することも可能である。
【００７０】
その後、図１５、図１６に示すように、スライダ２０７を下方へスライドさせる。その結果、スライダの第１突出片２７１ｆがハウジング２０３の凹部２３１３ｆに入るとともに、第１凸部２７１ｈがハウジング２０３の窓孔２３１３ｅに入る。更に、スライダ７の側壁部２７１がコンタクト２０５のばね部２５５２とハウジング２０３の側面板２３１３との間に入り、ばね部２５５２が挿入部２１ａの幅方向Ｗ２１ａへ弾性変形できなくなり、２つの凸部２５５１の間隔が広がらなくなる。この結果、インバータ基板２１の挿入部２１ａはハウジング２０３の高さ方方向Ｈ２０３で収容空間３１５から抜けなくなる。また、収容空間３１５内の挿入部２１ａは凸部２５５１によって接触部２５２１に押し付けられる。その結果、コンタクト２０５の基板接続部２５２とインバータ基板２１とが電気的に接続される。
【００７１】
第２実施形態は第１実施形態と同様の作用効果を奏する。
【００７２】
なお、上述の第１実施形態では、インバータ基板２１の挿入部２１ａは２方向から収容空間３１５に挿入可能であるが、挿入部２１ａはハウジングの１方向からだけで収容空間３１５に挿入可能であればよい。
【００７３】
また、上述の第２実施形態では、インバータ基板２１の挿入部２１ａは２方向から収容空間３１５に挿入可能であるが、挿入部２１ａはハウジング２０３の高さ方向Ｈ２０３だけで収容空間３１５に挿入可能であればよい。
【００７４】
なお、第１、第２実施形態では、スライダ７，２０７は樹脂製のものが用いられているが、基板２１ａの上面とコンタクト５，２０５との間で絶縁を保つことができれば、スライダ７，２０７を金属で形成してもよい。
【図面の簡単な説明】
【００７５】
【図１】図１はこの発明の第１実施形態のコネクタの使用状態の斜視図である。
【図２】図２は図１に示すコネクタのハウジングの斜視図である。
【図３】図３は図１に示すコネクタのハウジングの縦断面図である。
【図４】図４は図１に示すコネクタのコンタクトを斜め前方から見た状態を示す斜視図である。
【図５】図５は図１に示すコネクタのコンタクトを斜め後方から見た状態を示す斜視図である。
【図６】図６は図１に示すコネクタのスライダを斜め下方から見た状態を示す斜視図である。
【図７】図７は図１に示すコネクタのスライダを斜め側方から見た状態を示す斜視図である。
【図８】図８はスライダとハウジングとコンタクトとが組み付けられた状態を示す部分断面図である。
【図９】図９は図１に示すコネクタのスライダを閉塞位置から開放位置にスライドさせてインバータ基板の挿入部をコネクタのハウジングの収容空間に挿入した状態を示す部分断面図である。
【図１０】図１０は図１に示すコネクタのスライダを開放位置から閉塞位置にスライドさせてインバータ基板の挿入部にコンタクトの接触部を接触させた状態を示す部分断面図である。
【図１１】図１１はこの発明の第２実施形態のコネクタのハウジングの一部の斜視図である。
【図１２】図１２は同コネクタのコンタクトの一部の斜視図である。
【図１３】図１３は同コネクタのスライダの斜視図である。
【図１４】図１４はこの発明の第２実施形態のコネクタにインバータ基板を接続する前の状態を示す斜視図である。
【図１５】図１５は図１４に示すコネクタにインバータ基板を接続した状態を示す斜視図である。
【図１６】図１６は図１４に示すコネクタにインバータ基板を接続した状態を示す縦断面図である。
【図１７】図１７は図１４に示すコネクタにインバータ基板を接続した状態を示す斜め上方から見た斜視図である。
【符号の説明】
【００７６】
３，２０３  ハウジング
３１３ｂ  凸部（ガイド部）
３１５  収容空間（収容部）
３１５ａ  開口
５，２０５  コンタクト
５１２ａ  レール（ガイド部）
５２１  接触部
２５２１  第１接触部（接触部）
２５２３  第２接触部（接触部）
５２１ａ  係合部
７，２０７  スライダ
７１ｅ  カム面
７２，２７２  蓋部
２１  インバータ基板（基板）
２１ａ  挿入部（一部）
【図１】
2010003441.tif 000003
【図２】
2010003441.tif 000004
【図３】
2010003441.tif 000005
【図４】
2010003441.tif 000006
【図５】
2010003441.tif 000007
【図６】
2010003441.tif 000008
【図７】
2010003441.tif 000009
【図８】
2010003441.tif 000010
【図９】
2010003441.tif 000011
【図１０】
2010003441.tif 000012
【図１１】
2010003441.tif 000013
【図１２】
2010003441.tif 000014
【図１３】
2010003441.tif 000015
【図１４】
2010003441.tif 000016
【図１５】
2010003441.tif 000017
【図１６】
2010003441.tif 000018
【図１７】
2010003441.tif 000019